(57)【要約】【課題】水中作業灯などに利用可能な水中照明において、簡単な構成により、浸水による漏電や破損を回避するとともに、部品点数を減らすことにより製造コストを抑える。【解決手段】水中照明１は、フィラメント１１と、このフィラメント１１を支持するアンカ１２に連設されたステム１４と、ステム１４が連設されるステム封止部１７と、このステム封止部１７を、ガラス容器１０の下部とともに囲繞するモールド部１８とから概略構成される。【選択図】  図１
2010009986.tif 000002
【特許請求の範囲】
【請求項１】
電気により発光する発光部と、
前記発光部が収納される透光性の容器部と、
前記発光部を持するアンカに連設されたステムと、
前記ステムが連設されるステム封止部と、
このステム封止部を、容器部の下部とともに水密に囲繞するモールド部と
から構成されることを特徴とする水中照明。
【請求項２】
前記容器部の浮力で浮き上がらない程度の重量を有する錘部と、
前記錘部の上面に突設され、逆Ｌ字形をなす係止部と、
前記係止部の開放端側に配設され、前記容器部を上方から押さえつけるように配置される当接部２１とをさらに備え、
前記モールド部は、前記係止部に緊結手段により固定される
ことを特徴とする請求項１に記載の水中照明。
【請求項３】
前記容器部の浮力で浮き上がらない程度の重量を有する錘部と、
前記モールド部と前記錘部とを連結する連結部材と
をさらに備えることを特徴とする請求項１に記載の水中照明。
【発明の詳細な説明】
【技術分野】
【０００１】
本発明は、水中作業灯などに利用可能な水中照明に関する。
【背景技術】
【０００２】
従前、船舶の修理ドックなどで、ドック内に船舶が入った状況で、船底下において作業をする際、水中作業用の水中照明としては、作業員が手で持って使用する懐中電灯が一般的であった。一方、公園の池や噴水の中などにランプを設置することも行われている。
【０００３】
ところが、上記ランプでは、水中で電球が切れたとき、池の水を全部排水して、電球の交換作業を行うため、その際の水道代がかかり、また、水の排水・注水にも時間が掛かるという問題があった。
【０００４】
これに対して近年では、ランプハウス内のソケットに嵌挿させたランプを、ケーブルにより水中につり下げ、水中作業灯として使用するものも開発されている。このような水中照明としては、例えば特許文献１に開示されたものがある。
【０００５】
この特許文献1に開示された水中照明は、発光部を収容した発光器と、この発光器の頸部に適合するパッキンと、パッキンの内部応力を介して発光器の頸部を指示するように構成されている。また、発光器の口金は、ランプハウス２に設けられたソケットに嵌挿されている。このような特許文献１に開示された水中照明によれば、ランプの外形寸法の精度が比較的低くてもパッキンに作用する内部応力によりパッキンがランプ表面に密着するため、高水圧に対しても水密を保つことができる。
【特許文献１】特公昭６３−３２２０１号公報
【発明の開示】
【発明が解決しようとする課題】
【０００６】
しかしながら、上述した特許文献１に開示された水中照明は、口金をソケットに嵌挿させるなど、構成が複雑であるとともに、嵌挿部分から浸水する惧れがあり、漏電や破損の可能性があるとともに、部品点数が多いため製造コストがかさむという問題もあった。
【０００７】
そこで、本発明は、上記のような問題を解決するものであり、簡単な構成により、浸水による漏電や破損を回避するとともに、部品点数を減らすことにより製造コストを抑えることができる水中照明を提供することを目的とする。
【課題を解決するための手段】
【０００８】
上記課題を解決するために、本発明は、電気により発光する発光部と、発光部が収納される透光性の容器部と、発光部を持するアンカに連設されたステムと、ステムが連設されるステム封止部と、このステム封止部を、容器部の下部とともに水密に囲繞するモールド部とから構成される。
【０００９】
上記発明において、容器部の浮力で浮き上がらない程度の重量を有する錘部と、錘部の上面に突設され、逆Ｌ字形をなす係止部と、係止部の開放端側に配設され、容器部を上方から押さえつけるように配置される当接部２１とをさらに備え、モールド部は、係止部に緊結手段により固定されることが好ましい。
【００１０】
上記発明において、容器部の浮力で浮き上がらない程度の重量を有する錘部と、モールド部と錘部とを連結する連結部材とをさらに備えることが好ましい。
【発明の効果】
【００１１】
この発明によれば、水中作業灯などに利用可能な水中照明において、簡単な構成により、浸水による漏電や破損を回避するとともに、部品点数を減らすことにより製造コストを抑えることができる。
【００１２】
特に、本発明によれば、電球が完全防水であるため、電線での引き上げのみで、電球の交換が可能となることから、水を排水しないで、水を張った状態において、電灯の交換を行うことができる。
【発明を実施するための最良の形態】
【００１３】
（第１実施形態）
以下に添付図面を参照して、本発明に係る水中照明の実施形態を詳細に説明する。図１は、本実施形態に係る水中照明の全体構成を示す概念図である。本実施形態では、水中照明１は、ガラス容器１０に発光部としてのフィラメント１１を収容した水中発光器であって、発光部をハロゲンランプとしている。
【００１４】
図１に示すように、水中照明１は、フィラメント１１と、このフィラメント１１を支持するアンカ１２に連設されたステム１４と、ステム１４が連設されるステム封止部１７と、このステム封止部１７を、ガラス容器１０の下部とともに囲繞するモールド部１８とから概略構成される。
【００１５】
モールド部１８は、樹脂製の素材で形成され、ガラス容器１０の頸部を水密に封止する。このモールド部１８を形成する樹脂としては、オキシム系やアセトン、アルコール系などの１液型又は２液混型のシリコンRTVゴムなどを用いることができる。このモールド部１８には、フィラメント１１からの電線導入線１３に接続された電線１９が貫通されている。このモールド部１８は、図２に示すような、固定台２の係合部２０に針金等の緊結手段４０により固定される。
【００１６】
固定台２は、コンクリートなどで形成された錘部２４に、係合部２０が突設されている。この係合部２０は、逆Ｌ字形をなし、この逆Ｌ字形の固定端側で、鉄板２２を介して、錘部２４に固定されている。この鉄板２２は、ネジ部２３により錘部２４に貼付固定されている。そして、係合部２０は、前記モールド部１８が係合されるとともに、逆Ｌ字形の開放端側の当接部２１によって、横倒しに配置された電球部分を上方から押さえつけるように構成されている。
【００１７】
なお、鉄板２２には、リング状の緊結部２２ａが取付けられ、これを介して、キャプタイヤ３１が、錘部２４に括り付けられるようになっている。これにより、キャプタイヤ３１を引き上げて本水中照明を水上に揚げる際、キャプタイヤ３１へのテンションが直接モールド部１８に作用するのを回避することができ、モールド部１８や電線１９が破損するのを防止することができる。
【００１８】
以上の構成を有する水中照明は、以下の手順により製作することができる。
先ず、電球の口金を取り外す。このとき、排気口１５に連通する排気管１６を破損しないように注意する。次いで、外側のキャプタイヤ３１と電球側の電線１９とを接続する。この接続は、ハンダ付けで行うことができる。
【００１９】
その後、電線１９や電球のカバー部１０ａに塗布されてあるロウや油分をシンナーやガソリン等で拭き取ることにより除去して、シリコンとの付着性を高めておく。その後、カバー部分から電球頚部の開口部にかけて、シリコンを充填してモールド部１８を形成する。このモールドの厚みは、例えば３〜４ミリ程度とする。
【００２０】
このような第１実施形態に係る水中照明は、図３に示すように、例えば、船の修理ドックのような、水中作業を行うような狭い空間３０の水中に簡単に設置することができる。具体的には、電線１９にキャプタイヤ３１を接続する。このキャプタイヤ３１は、工事用にゴム被服を厚くした電線ケーブルであり、修理ドック底面の設置場所から水上へ届く程度の長さを有する。また、このキャプタイヤには漏電遮断機を接続する。また、このキャプタイヤ３１が接続される電源としては、例えば、ドック内の船舶に搭載された発電機などでもよい。この船舶に搭載された発電機は、６Ｖ〜１２Ｖ程度の電圧なので、漏電による死亡事故のおそれがなく、安全である。
【００２１】
このような本実施形態に係る水中照明１によれば、固定台２を水中に沈めるだけで、電球の浮き上がりを防止しつつ、水中作業用の作業灯を自由に設置することができる。
【００２２】
（第２実施形態）
次いで、本発明の第２実施形態について説明する。この実施形態では、上述した第１実施形態における固定台２に代えて、錘部４３に連結された連結部材としての紐部４２を備えることを特徴とする。図５は、本実施形態に係る水中照明の全体構成を示す概念図である。なお、本実施形態においても、上記第１実施形態と同様に、水中照明１は、ガラス容器に発光部を収容した水中発光器であって、例えばハロゲンランプとなっている。
【００２３】
この第２実施形態においても、水中照明１は、上述した第１実施形態と同様、フィラメント１１と、このフィラメント１１を支持するアンカ１２に連設されたステム１４と、ステム１４のが連設されるステム封止部１７と、このステム封止部１７を、ガラス容器１０の下部とともに囲繞するモールド部１８とから概略構成される。
【００２４】
モールド部１８は、樹脂製の素材で形成され、ガラス容器１０の頸部を水密に封止する。このモールド部１８には、フィラメント１１からの電線導入線１３に接続された電線１９が貫通されている。
【００２５】
このモールド部１８には、本実施形態では、緊結手段４１が縛り付けられており、この緊結手段４１に、連結部材としての紐部４２が連結されている。この紐部４２は、係止部４３ａを介して、錘部４３に係合されている。この錘部４３は、ランプの浮力によっても浮き上がらない程度の重量をもっている。また、電線１９にはキャプタイヤ３１が接続されており、このキャプタイヤ３１は、ランプの設置場所から水上へ届く程度の長さを有している。さらに、このキャプタイヤには漏電遮断機を接続することが好ましい。
【００２６】
また、本実施形態では、キャプタイヤ３１（電線１９）と紐部４２とが、針金等の緊結手段４３ｂにより緊結されている。これにより、キャプタイヤ３１を引き上げる際に、キャプタイヤ３１のテンションが緊結手段４３ｂを介して錘部４３に伝達されることとなり、キャプタイヤ３１を引き上げても、そのテンションが電線１９やモールド部１８に伝達されず、テンションにより各部が破損するのを免れるようになっている。
【００２７】
このような第２実施形態に係る水中照明によれば、錘部４３の重量により水中に沈めるだけで、図４に示すように、例えば、公園の噴水５０の他、池の貯水池の内部に簡単に、且つ自由に設置することができる。特に、本実施形態によれば、電球が完全防水であるため、例えば、電線での引き上げのみで、電球の交換が可能となることから、水を排水しないで、水を張った状態において、電灯の交換を行うことができる。
【００２８】
なお、上記連結部材である紐部４２の変更例としては、図６に示したような、金網４３ｃとすることもできる。この金網４３ｃは、水中照明１を覆う袋体であり、水中照明１を内部に収容した状態で、錘部４３に直接、或いは紐部４２を介して、連結されている。このとき、キャプタイヤ３１は、モールド部１８と錘部４３との間において余長を持たせて弛ませた状態で錘部４３の係止部４３ａに緊結される。このような金網４３ｃによれば、水中照明１の電球部分を覆うことによって保護することができ、電球部分の破損を防止することができる。
【００２９】
（変更例）
上述した第１及び第２の実施形態では、発光部をハロゲンランプとしたが、本発明はこれに限定されず、図７に示したような、蛍光灯６０にも本発明を適用することができる。すなわち、蛍光灯６０の両端において、口金を取り外し、電線を外部へ導出してモールドを充填させ、錘部２４を係合部２５により固定する。これにより、錘部２４の重量により水中に沈めるだけで、例えば、公園の噴水の他、池の貯水池の内部に簡単に、且つ自由に設置することができる。
【図面の簡単な説明】
【００３０】
【図１】第１実施形態に係る水中照明の断面図である。
【図２】第１実施形態に係る固定台の側面図である。
【図３】第１実施形態に係る水中照明の設置状況を示す説明図である。
【図４】第２実施形態に係る水中照明の設置状況を示す説明図である。
【図５】第２実施形態に係る水中照明の側面図である。
【図６】連結部材の変更例に係る水中照明の側面図である。
【図７】変更例に係る水中照明の側面図である。
【符号の説明】
【００３１】
１…水中照明
２…固定台
１０…ガラス容器
１０ａ…カバー部
１１…フィラメント
１２…アンカ
１３…電線導入線
１４…ステム
１５…排気口
１６…排気管
１７…ステム封止部
１８…モールド部
１９…電線
２０，２５…係合部
２１…当接部
２２…鉄板
２２ａ，４３ａ…係止部
２３…ネジ部
２４…錘部
３０…空間
３１…キャプタイヤ
４０，４１，４３ｂ…緊結手段
４２…紐部
４３…錘部
４３ｃ…金網
５０…噴水
６０…蛍光灯
【図１】
2010009986.tif 000003
【図２】
2010009986.tif 000004
【図３】
2010009986.tif 000005
【図４】
2010009986.tif 000006
【図５】
2010009986.tif 000007
【図６】
2010009986.tif 000008
【図７】
2010009986.tif 000009